(57)【特許請求の範囲】
【請求項１】
ホワイトスペース周波数帯で動作するコグニティブ無線システムの存在情報の登録を受け付け、かつ、該情報の提供を行う第１のサーバと、
第１のコグニティブ無線システムに属する再構成可能な第１の無線機から該第１の無線機の構成情報である第１の構成情報を取得可能に、かつ、該第１の構成情報を外部に出力可能に、かつ、前記第１の無線機を再構成するためのコマンドである第１の再構成コマンドを受け付け可能に構成され、受け付けられた該第１の再構成コマンドにより前記第１の無線機を再構成することを該第１の無線機に要求する、前記第１のコグニティブ無線システムに属する第１の付加機器と、
第２のコグニティブ無線システムに属する再構成可能な第２の無線機から該第２の無線機の構成情報である第２の構成情報を取得可能に、かつ、該第２の構成情報を外部に出力可能に、かつ、前記第２の無線機を再構成するためのコマンドである第２の再構成コマンドを受け付け可能に構成され、受け付けられた該第２の再構成コマンドにより前記第２の無線機を再構成することを該第２の無線機に要求する、前記第２のコグニティブ無線システムに属する第２の付加機器と、
前記第１のコグニティブ無線システムの存在を示す第１の存在情報を前記第１のサーバに登録可能に、かつ、該第１のコグニティブ無線システムと前記第２のコグニティブ無線システムとが互いに共存対応を必要とすべき関係であるとき、前記第１のサーバに登録された、前記第２のコグニティブ無線システムの存在を示す第２の存在情報を前記第１のサーバから取得可能に、かつ、前記第１の付加機器が出力した前記第１の構成情報を受け取り可能に構成された、前記第１のコグニティブ無線システムに属する第１の管理機器と、
前記第２の存在情報を前記第１のサーバに登録可能に、かつ、前記第２のコグニティブ無線システムと前記第１のコグニティブ無線システムとが互いに共存対応を必要とすべき関係であるとき、前記第１のサーバから前記第１の存在情報を取得可能に、かつ、前記第２の付加機器が出力した前記第２の構成情報を受け取り可能に構成された、前記第２のコグニティブ無線システムに属する第２の管理機器と、
前記第１の管理機器および前記第２の管理機器と通信可能な第２のサーバと、を具備し、
前記第１の管理機器が、前記第２の存在情報に基づいて前記第２の管理機器との間で前記第２のサーバを経由して情報交換を行って該第２の管理機器から前記第２の構成情報を得、かつ、ホワイトスペースに関する情報を保持しかつ該情報の提供を行うデータベースから、前記第１のコグニティブ無線システムに関してのホワイトスペースに関する情報である第１のホワイトスペース情報の提供を受け、かつ、前記第２の構成情報、前記第１のホワイトスペース情報、および前記第１の構成情報に基づいて、前記第１の再構成コマンドを生成して、該第１の再構成コマンドを前記第１の付加機器に渡し、
前記第２の管理機器が、前記第１の存在情報に基づいて前記第１の管理機器との間で前記第２のサーバを経由して情報交換を行って該第１の管理機器から前記第１の構成情報を得、かつ、前記データベースから、前記第２のコグニティブ無線システムに関してのホワイトスペースに関する情報である第２のホワイトスペース情報の提供を受け、かつ、前記第１の構成情報、前記第２のホワイトスペース情報、および前記第２の構成情報に基づいて、前記第２の再構成コマンドを生成して、該第２の再構成コマンドを前記第２の付加機器に渡し、
前記第１の付加機器と前記第１の管理機器との間に設けられた、前記第１の付加機器から前記第１の管理機器へ前記第１の構成情報を伝送させ、かつ、前記第１の管理機器から前記第１の付加機器へ前記第１の再構成コマンドを伝送させる第１のインターフェースと、
前記第２の付加機器と前記第２の管理機器との間に設けられた、前記第２の付加機器から前記第２の管理機器へ前記第２の構成情報を伝送させ、かつ、前記第２の管理機器から前記第２の付加機器へ前記第２の再構成コマンドを伝送させる第２のインターフェースと、
前記第１の管理機器と前記第１のサーバとの間に設けられた、前記第１の管理機器から前記第１のサーバへ前記第１の存在情報を伝送させ、かつ、前記第１のサーバから前記第１の管理機器へ前記第２の存在情報を伝送させる第３のインターフェースと、
前記第２の管理機器と前記第１のサーバとの間に設けられた、前記第２の管理機器から前記第１のサーバへ前記第２の存在情報を伝送させ、かつ、前記第１のサーバから前記第２の管理機器へ前記第１の存在情報を伝送させる第４のインターフェースと、
前記第１の管理機器と前記第２のサーバとの間に設けられた、前記第１の管理機器から前記第２のサーバへ前記第１の構成情報を伝送させ、かつ、前記第２のサーバから前記第１の管理機器へ前記第２の構成情報を伝送させる第５のインターフェースと、
前記第２の管理機器と前記第２のサーバとの間に設けられた、前記第２の管理機器から前記第２のサーバへ前記第２の構成情報を伝送させ、かつ、前記第２のサーバから前記第２の管理機器へ前記第１の構成情報を伝送させる第６のインターフェースと、をさらに具備する
異種のコグニティブ無線システムを共存させるためのシステム。
【請求項２】
第１のコグニティブ無線システムに属する再構成可能な第３の無線機から該第３の無線機の構成情報である第３の構成情報を取得可能に、かつ、該第３の構成情報を外部に出力可能に、かつ、前記第３の無線機を再構成するためのコマンドである第３の再構成コマンドを受け付け可能に構成され、受け付けられた該第３の再構成コマンドにより前記第３の無線機を再構成することを該第３の無線機に要求する、前記第１のコグニティブ無線システムに属する第３の付加機器をさらに具備し、
前記第１の管理機器が、さらに、前記第２の構成情報、前記第１のホワイトスペース情報、および前記第３の構成情報に基づいて、前記第３の再構成コマンドを生成して、該第３の再構成コマンドを前記第３の付加機器に渡し、
前記第２の管理機器が、前記第１の存在情報に基づいて前記第１の管理機器と情報交換を行って該第１の管理機器からさらに前記第３の構成情報を得、
前記第２の管理機器が、前記第１の構成情報、前記第３の構成情報、前記第２のホワイトスペース情報、および前記第２の構成情報に基づいて、前記第２の再構成コマンドを生成して、該第２の再構成コマンドを前記第１の付加機器に渡し、
前記第３の付加機器と前記第１の管理機器との間に設けられた、前記第３の付加機器から前記第１の管理機器へ前記第３の構成情報を伝送させ、かつ、前記第１の管理機器から前記第３の付加機器へ前記第３の再構成コマンドを伝送させる第７のインターフェースをさらに具備する
請求項１記載のシステム。
【請求項３】
前記第１の付加機器と前記第１の無線機との間に設けられた、前記第１の無線機から前記第１の付加機器へ前記第１の構成情報を伝送させ、かつ、前記第１の付加機器から前記第１の無線機へ前記第１の再構成コマンドを伝送させる第８のインターフェースと、
前記第２の付加機器と前記第２の無線機との間に設けられた、前記第２の無線機から前記第２の付加機器へ前記第２の構成情報を伝送させ、かつ、前記第２の付加機器から前記第２の無線機へ前記第２の再構成コマンドを伝送させる第９のインターフェースと、をさらに具備し、
前記第１のインターフェースが、前記第１の付加機器の側に設けられた部分と、前記第１の管理機器の側に設けられた部分とを有し、
前記第２のインターフェースが、前記第２の付加機器の側に設けられた部分と、前記第２の管理機器の側に設けられた部分とを有する
請求項１記載のシステム。
【請求項４】
前記第１のインターフェースが、前記第１の付加機器の側に設けられた部分と、前記第１の管理機器の側に設けられた部分とを有し、
前記第２のインターフェースが、前記第２の付加機器の側に設けられた部分と、前記第２の管理機器の側に設けられた部分とを有し、
前記第３のインターフェースが、前記第１の管理機器の側に設けられた部分と、前記第１のサーバの側に設けられた部分とを有し、
前記第４のインターフェースが、前記第２の管理機器の側に設けられた部分と、前記第１のサーバの側に設けられた部分とを有する
請求項１記載のシステム。
【請求項５】
第３のコグニティブ無線システムに属する再構成可能な第４の無線機から該第４の無線機の構成情報である第４の構成情報を取得可能に、かつ、該第４の構成情報を外部に出力可能に、かつ、前記第４の無線機を再構成するためのコマンドである第４の再構成コマンドを受け付け可能に構成され、受け付けられた該第４の再構成コマンドにより前記第４の無線機を再構成することを該第４の無線機に要求する、前記第３のコグニティブ無線システムに属する第４の付加機器と、
前記第３のコグニティブ無線システムの存在を示す第３の存在情報を前記第１のサーバに登録可能に、かつ、該第３のコグニティブ無線システムと前記第１のコグニティブ無線システムとが互いに共存対応を必要とすべき関係であるとき、前記第１のサーバから前記第１の存在情報を取得可能に、かつ、前記第４の付加機器が出力した前記第４の構成情報を受け取り可能に構成された、前記第３のコグニティブ無線システムに属する第３の管理機器と、さらに具備し、
前記第１の管理機器が、さらに、前記第１のコグニティブ無線システムと前記第３のコグニティブ無線システムとが互いに共存対応を必要とすべき関係であるとき、前記第１のサーバに登録された前記第３の存在情報を前記第１のサーバから取得可能に構成されており、
前記第１の管理機器が、さらに、前記第３の存在情報に基づいて前記第３の管理機器と情報交換を行って該第３の管理機器から前記第４の構成情報を得、
前記第１の管理機器が、前記第２の構成情報、前記第１のホワイトスペース情報、前記第１の構成情報、および前記第４の構成情報に基づいて、前記第１の再構成コマンドを生成して、該第１の再構成コマンドを前記第１の付加機器に渡し、
前記第３の管理機器が、前記第１の存在情報に基づいて前記第１の管理機器と情報交換を行って該第１の管理機器から前記第１の構成情報を得、かつ、前記データベースから、前記第３のコグニティブ無線システムに関してのホワイトスペースに関する情報である第３のホワイトスペース情報の提供を受け、かつ、前記第１の構成情報、前記第３のホワイトスペース情報、前記第４の構成情報に基づいて、前記第４の再構成コマンドを生成して、該第４の再構成コマンドを前記第２の付加機器に渡す
請求項１記載のシステム。
【請求項６】
前記第１の管理機器と前記第２の管理機器との間に設けられた、前記第１の管理機器から前記第２の管理機器へ前記第１の構成情報を伝送させ、かつ、前記第２の管理機器から前記第１の管理機器へ前記第２の構成情報を伝送させる第１０のインターフェースをさらに具備する請求項１記載のシステム。
【請求項７】
前記第１の管理機器が、前記データベースに直接に接続して、前記第１のホワイトスペース情報を前記データベースから直に提供され、
前記第２の管理機器が、前記データベースに直接に接続して、前記第２のホワイトスペース情報を前記データベースから直に提供される
請求項１記載のシステム。
【請求項８】
前記第１の管理機器と前記データベースとの間に設けられた、前記データベースから前記第１の管理機器へ前記第１のホワイトスペース情報を伝送させる第１１のインターフェースと、
前記第２の管理機器と前記データベースとの間に設けられた、前記データベースから前記第２の管理機器へ前記第２のホワイトスペース情報を伝送させる第１２のインターフェースと
をさらに具備する請求項７記載のシステム。
【請求項９】
前記第３の管理機器が、前記データベースに直接に接続して、前記第３のホワイトスペース情報を前記データベースから直に提供される請求項５記載のシステム。
【請求項１０】
前記第１１のインターフェースが、前記第１の管理機器の側に設けられた部分と、前記データベースの側に設けられた部分とを有し、
前記第１２のインターフェースが、前記第２の管理機器の側に設けられた部分と、前記データベースの側に設けられた部分とを有する
請求項８記載のシステム。
【請求項１１】
前記第３のインターフェースが、前記第１の管理機器の側に設けられた部分と、前記サーバの側に設けられた部分とを有し、
前記第４のインターフェースが、前記第２の管理機器の側に設けられた部分と、前記サーバの側に設けられた部分とを有する
請求項１記載のシステム。
【請求項１２】
前記第５のインターフェースが、前記第１の管理機器の側に設けられた部分と、前記第２のサーバの側に設けられた部分とを有し、
前記第６のインターフェースが、前記第２の管理機器の側に設けられた部分と、前記第２のサーバの側に設けられた部分とを有する
請求項１記載のシステム。
【請求項１３】
前記第２のサーバが、さらに、前記データベースと通信可能であり、
前記第１の管理機器が、前記データベースから前記第１のホワイトスペース情報を前記第２のサーバを経由して提供され、
前記第２の管理機器が、前記データベースから前記第２のホワイトスペース情報を前記第２のサーバを経由して提供される
請求項１記載のシステム。
【請求項１４】
前記第２のサーバと前記データベースとの間に設けられた、前記第１のホワイトスペース情報および前記第２のホワイトスペース情報を該データベースから該第２のサーバに伝送させる第１３のインターフェースをさらに具備する請求項１３記載のシステム。
【発明の詳細な説明】
【技術分野】
【０００１】
本発明は、ホワイトスペース周波数帯における、異種のコグニティブ無線システムを共存させるためのシステムに関する。
【背景技術】
【０００２】
現在、ホワイトスペース周波数帯における動作を目指したいくつかのタイプのコグニティブ無線システムが開発の途上にある。例として、ＥＣＭＡ ３９２、ＩＥＥＥ ８０２．２２、ＩＥＥＥ ８０２．１１ａｆがある。それらが供用されればすぐにこの発明を応用することができ、そしてこれらのシステムの共存が可能になる。
【０００３】
無線通信において、スペクトラムは非常に限られた資源である。ＦＣＣ（米連邦通信委員会）の測定では、多くの免許周波数帯において、９０％の時間、使われていないことが示されている（文献１：FCC Spectrum Policy Task Force, “Report of the Spectrum Efficiency Working Group”, Nov. 2002, http://www.fcc.gov/sptf/files/SEWGFinalReport_1.pdf.）。このことは、無線システムに、一時的に不使用のスペクトラムを検出して使用する好機を提供する。このような機会の利用を可能にするためには、２つの必要条件が満たされるべきことになろう。１）無線システムが、一時的に不使用のスペクトラム部分を検出し使用する能力をもつ。２）無線規則が、無線システムに、その一時的に不使用のスペクトラム部分で動作することを許可する。
【０００４】
第１の必要条件は、現状の無線通信技術、特にコグニティブ無線システムを使うことで満足され得る。コグニティブ無線システムは、“システムに、その動作のおよび地理的な環境の認知、確立された方法の認知、および内部状態の認知を取得せしめ、あらかじめ定められた目的を達成するために、その動作パラメータとプロトコルとをその取得された認知に従い、動的にかつ自律的に変化せしめ、そして得られた結果から学習せしめる技術を採用した無線システム”と定義される（文献２：Definitions of Software Defined Radio (SDR) and Cognitive Radio System (CRS), Report ITU-R SM.2152, September 2009.）。
【０００５】
上記定義から分かるように、コブニティブ無線システムは動作環境の認知を得ることができる。このことは、一時的に使用されていない、免許周波数帯の部分について認知を得ることを含む。また、このことは、確立された方法、すなわち、これらの一時的に不使用のスペクトラム部分で動作するために従わなければならない無線規則の認知を得ることを含む。
【０００６】
コグニティブ無線システムは、また、その動作パラメータおよびプロトコルを動的にかつ自律的に調整することができる。このことは、以下の動作パラメータ：送信電力、動作周波数と帯域幅、変調タイプ、無線アクセス技術、を変化させる能力を含む。動作パラメータのこのリストは、コグニティブ無線システムが、検知された不使用スペクトラムを利用することに融通性高くかつ効率的に順応し得ることを意味する。
【０００７】
第２の必要条件は、現在、いくつかの国で満足されている。“ＴＶ放送帯における免許外動作事項における第２の報告と命令”がＦＣＣによって２００８年１１月に発行された（文献３：FCC 08-260, “Second Report and Order in the Matter of Unlicensed Operation in the TV Broadcast Bands”, Nov. 14, 2008.）。米国市場を統制するこの文書は、可搬性のデバイスのため、ＴＶホワイトスペースにおける二次的な動作を容認する。現状、ほかの国々、例えば、連合王国、カナダ、シンガポール、欧州のいくつかの国が同様の行動を考慮中である。
【０００８】
無線規則がコグニティブ無線システムに一時的不使用のこれらの周波数帯部分で動作することを容認している周波数帯は、典型的に、“ホワイトスペース周波数帯”と呼ばれる。ここで、“ホワイトスペース”という言葉は、一時的不使用の周波数帯部分を言っている。これらの周波数帯が割り当てられる無線システムは、“一次的無線システム”あるいは“一次ユーザ”と呼ばれる。これらの周波数帯のホワイトスペースで動作するコグニティブ無線システムは“二次的無線システム”または“二次ユーザ”と呼ばれる。米国無線規則（文献３）を例として用いて、ＴＶ放送システムは一次ユーザである一方、コグニティブ無線システムは二次ユーザである。この例において、ホワイトスペース周波数帯は、ＴＶ周波数帯におけるいくつかのチャンネルに制限されている。
【０００９】
免許帯で動作する無線システムの定例の機能性（ユーザトラフィックの受け渡し）に加わって、ホワイトスペース周波数帯で動作するコグニティブ無線システムは、２つの付加的機能、１）一次ユーザ保護、２）ほかの２次ユーザとの共存、を持つことになろう。
【００１０】
第１の機能は、無線規則で要求されるように典型的に義務的である。理由は、コグニティブ無線システムは二次ユーザとして動作することである。このことは、それが、ホワイトスペース周波数帯の一時的不使用の部分（ホワイトスペース）でのみ動作が許されていることを意味する。
【００１１】
第１に、コグニティブ無線システムは、ホワイトスペースを検出すること、および、このスペクトラム部分が、与えられた場所、時間においてどの一次ユーザにもその動作のために必要とはされないと保証することを可能としよう。これは、種々の方法でなされ得、典型的には、ホワイトスペースデータベースアクセスとスペクトラムセンシングとの組み合わせによってなされる。動作を始める前に、コグニティブ無線システムは、ホワイトスペースデータベースに、例えばインターネット接続を用い、アクセスする。コグニティブ無線システムは、ホワイトスペースデータベースに要求を送る。ホワイトスペースデータベースでは、このような要求はそのコグニティブ無線システムの位置を示している。ホワイトスペースデータベースは、そのコグニティブ無線システムに、このコグニティブ無線システムのその位置で、現状不使用のスペクトラム部分（ホワイトスペース）を示す応答を返す。コグニティブ無線システムがホワイトスペースデータベースから応答を受けたあと、それは、ホワイトスペースデータベースによって示されたホワイトスペースのどこかでの動作の開始を決めることができる。しかしながら、動作を始める前に、コグニティブ無線システムは、典型的に、動作を始めようとするそのホワイトスペースでスペクトラムセンシングを行うであろう。仮にスペクトラムセンシングの結果が、どの一次ユーザもこれらのホワイトスペースに検出されないことを示すなら、コグニティブ無線システムはこれらのホワイトスペースでの動作開始を許される。
【００１２】
第２に、コグニティブ無線システムは、それがその動作のため使うホワイトスペースにおける一次ユーザの動作を検出することを可能としよう。仮に一次ユーザがホワイトスペースで検出されたら、コグニティブ無線システムは、そのホワイトスペースでのその動作を直ちにやめる必要がある。この一次ユーザ検出もまた、典型的に、ホワイトスペースデータベースアクセスとスペクトラムセンシングとの組み合わせによりなされる。コグニティブ無線システムは、時間を置いてホワイトスペースデータベースにアクセスし、時間を置いてスペクトラムセンシングを行う。
【００１３】
２番目の機能、すなわち、ほかのコグニティブ無線システムとの共存は、無線規則では要求されない。この機能を持つことの理由は、以下のようである。ホワイトスペースは、ひとつの特定のコグニティブ無線システムに排他的に割り当てられていない。一次ユーザ保護のための無線規則を満足するどのコグニティブ無線システムもホワイトスペースを使うことができる。その結果、１つ以上のコグニティブ無線システムがその動作のため同じホワイトスペースを選択できる。このような場合、同じホワイトスペースで動作するいくつかのコグニティブ無線システムは、パフォーマンス低下やあるいは動作継続不能にさえ至る、互いへの妨害を発生する可能性がある。コグニティブ無線システムにこのような状況を回避させる仕組みは、“共存の仕組み”と呼ばれる。
【００１４】
共存の仕組みは、２つのグループ、１）同種のコグニティブ無線システム間での共存の仕組み、２）異種のコグニティブ無線システム間での共存の仕組み、にカテゴリー化され得る。
【００１５】
第１グループの共存の仕組みは、“自己共存の仕組み”とも呼ばれる、同種のコグニティブ無線システム間での共存の仕組みである。同種のコグニティブ無線システムは、同じ無線通信規格に従う動作のコグニティブ無線システムを意味する。ホワイトスペース周波数帯で動作が可能な無線システムを定義する無線通信規格の例は、ＩＥＥＥ ８０２．２２、ＩＥＥＥ ８０２．１１ａｆ、ＥＣＭＡ ３９２である。典型的には、自己共存の仕組みは、無線通信規格に組み入れられる。この結果、この規格に従い動作するコグニティブ無線システムによって使用され得る。
【００１６】
特許文献１は、フレームの自己共存窓部分および共存ビーコンプロトコルに基づき、８０２．２２無線システムの、異なる基地局の共存を可能にする方法を記載する。
【００１７】
特許文献２は、送信電力制御、動的な周波数選択、およびオンデマンドスペクトラムコンテンションに基づき、異なる８０２．２２基地局の共存を可能にする方法を記載する。この方法は、協調的な共存方法を実現する。異なる基地局が、ブリッジカスタマプレミス機器を介してまたはバックホール接続を介して、互いの共存のため必要とされる情報の交換を行う。
【００１８】
自己共存の仕組みは、同じ無線通信規格に従い動作するコグニティブ無線システムでの、共存の課題を解決する種々の仕組みを提供する。しかしながら、このような仕組みは、異なる無線通信規格に従い動作するコグニティブ無線システムでの、その共存の課題を解決するためには使用され得ない。
【００１９】
特許文献３は、周波数帯で分かれた異種の無線デバイス（異なる通信規格に従いトラフィックを送受する無線デバイス）の共存を可能にするシステムと方法を記載する。この方法は、次の５つのステップを有する。１）分かれた周波数帯における無線周波数エネルギを監視する。２）パフォーマンスに劣化があるときを決定する。３）この劣化が妨害信号で引き起こされるかどうか決定する。４）監視結果に基づき、妨害信号を分類する。５）いかにして劣化を小さくすることに順応するかの勧告を発する。そのシステムは、無線デバイスとこの無線デバイスに結合された計算デバイスとを有する。
【００２０】
特許文献３の方法およびシステムは、非協調／自律的な共存解決を実現する。このことは、コグニティブ無線システムのそれぞれは、共存の課題をいかに解決するかについて独立した決定を下すことを意味する。
【００２１】
特許文献４は、免許された帯域での異なる無線システム（異なる通信規格に従うトラフィックの送受を行う無線システム）の共存を可能にする方法を記載する。その方法は、異なる無線システムが同じ分け与えられた放送チャンネルを使用して、互いの共存に必要な情報を交換し、協調的な共存解決を可能にする。このような情報には、搬送周波数、帯域幅、特定の無線システムによるトラフィック送信で使われる通信規格、デューティーサイクル、送信電力などを含むことができる。この情報は、ひとつの無線システムで使用されて、別の無線システムからの（への）妨害を小さくする。
【００２２】
特許文献４の方法は、協調的共存解決を実現する。それは、自律的共存解決のみを実現する特許文献３の方法より、よい結果を得ることになろう。しかしながら、特許文献４の方法は、次の不利益がある。共存に必要な情報を交換するため使用される、分け与えられた放送チャンネルは、幾分かのスペクトラムを消費する。それは、ユーザのトラフィック送信に使われ得る。また、そのようなスペクトラムは、いつも使えるわけではない。最後に、特許文献４の方法は、すべてのコグニティブ無線システムが、その分け与えられた放送チャンネルのフォーマットをサポートすることができるソフトウエアとハードウエアとを持つことを要求される。それは、コグニティブ無線システムにおける無線機器のコスト増の結果を招く。
【先行技術文献】
【特許文献】
【００２３】
【特許文献１】米国特許出願公開２０１０／０００８２９７号明細書
【特許文献２】米国特許出願公開２００８／００８９２７９号明細書
【特許文献３】米国特許第７４２４２６８号明細書
【特許文献４】米国特許第７４８０４９０号明細書
【発明の概要】
【発明が解決しようとする課題】
【００２４】
本発明は、ホワイトスペース周波数帯において、異種のコグニティブ無線システム（異なる無線通信規格に従うトラフィックを送信および受信する無線システム）を共存させるための向上した解決策を有し、これによりスペクトラム利用の効率を向上した、異種のコグニティブ無線システムを共存させるためのシステムを提供することを目的とする。
【課題を解決するための手段】
【００２５】
上記の課題を解決するため、本発明の一態様である、異種のコグニティブ無線システムを共存させるためのシステムは、ホワイトスペース周波数帯で動作するコグニティブ無線システムの存在情報の登録を受け付け、かつ、該情報の提供を行う第１のサーバと、第１のコグニティブ無線システムに属する再構成可能な第１の無線機から該第１の無線機の構成情報である第１の構成情報を取得可能に、かつ、該第１の構成情報を外部に出力可能に、かつ、前記第１の無線機を再構成するためのコマンドである第１の再構成コマンドを受け付け可能に構成され、受け付けられた該第１の再構成コマンドにより前記第１の無線機を再構成することを該第１の無線機に要求する、前記第１のコグニティブ無線システムに属する第１の付加機器と、第２のコグニティブ無線システムに属する再構成可能な第２の無線機から該第２の無線機の構成情報である第２の構成情報を取得可能に、かつ、該第２の構成情報を外部に出力可能に、かつ、前記第２の無線機を再構成するためのコマンドである第２の再構成コマンドを受け付け可能に構成され、受け付けられた該第２の再構成コマンドにより前記第２の無線機を再構成することを該第２の無線機に要求する、前記第２のコグニティブ無線システムに属する第２の付加機器と、前記第１のコグニティブ無線システムの存在を示す第１の存在情報を前記第１のサーバに登録可能に、かつ、該第１のコグニティブ無線システムと前記第２のコグニティブ無線システムとが互いに共存対応を必要とすべき関係であるとき、前記第１のサーバに登録された、前記第２のコグニティブ無線システムの存在を示す第２の存在情報を前記第１のサーバから取得可能に、かつ、前記第１の付加機器が出力した前記第１の構成情報を受け取り可能に構成された、前記第１のコグニティブ無線システムに属する第１の管理機器と、前記第２の存在情報を前記第１のサーバに登録可能に、かつ、前記第２のコグニティブ無線システムと前記第１のコグニティブ無線システムとが互いに共存対応を必要とすべき関係であるとき、前記第１のサーバから前記第１の存在情報を取得可能に、かつ、前記第２の付加機器が出力した前記第２の構成情報を受け取り可能に構成された、前記第２のコグニティブ無線システムに属する第２の管理機器と、前記第１の管理機器および前記第２の管理機器と通信可能な第２のサーバと、を具備し、前記第１の管理機器が、前記第２の存在情報に基づいて前記第２の管理機器との間で前記第２のサーバを経由して情報交換を行って該第２の管理機器から前記第２の構成情報を得、かつ、ホワイトスペースに関する情報を保持しかつ該情報の提供を行うデータベースから、前記第１のコグニティブ無線システムに関してのホワイトスペースに関する情報である第１のホワイトスペース情報の提供を受け、かつ、前記第２の構成情報、前記第１のホワイトスペース情報、および前記第１の構成情報に基づいて、前記第１の再構成コマンドを生成して、該第１の再構成コマンドを前記第１の付加機器に渡し、前記第２の管理機器が、前記第１の存在情報に基づいて前記第１の管理機器との間で前記第２のサーバを経由して情報交換を行って該第１の管理機器から前記第１の構成情報を得、かつ、前記データベースから、前記第２のコグニティブ無線システムに関してのホワイトスペースに関する情報である第２のホワイトスペース情報の提供を受け、かつ、前記第１の構成情報、前記第２のホワイトスペース情報、および前記第２の構成情報に基づいて、前記第２の再構成コマンドを生成して、該第２の再構成コマンドを前記第２の付加機器に渡し、前記第１の付加機器と前記第１の管理機器との間に設けられた、前記第１の付加機器から前記第１の管理機器へ前記第１の構成情報を伝送させ、かつ、前記第１の管理機器から前記第１の付加機器へ前記第１の再構成コマンドを伝送させる第１のインターフェースと、前記第２の付加機器と前記第２の管理機器との間に設けられた、前記第２の付加機器から前記第２の管理機器へ前記第２の構成情報を伝送させ、かつ、前記第２の管理機器から前記第２の付加機器へ前記第２の再構成コマンドを伝送させる第２のインターフェースと、前記第１の管理機器と前記第１のサーバとの間に設けられた、前記第１の管理機器から前記第１のサーバへ前記第１の存在情報を伝送させ、かつ、前記第１のサーバから前記第１の管理機器へ前記第２の存在情報を伝送させる第３のインターフェースと、前記第２の管理機器と前記第１のサーバとの間に設けられた、前記第２の管理機器から前記第１のサーバへ前記第２の存在情報を伝送させ、かつ、前記第１のサーバから前記第２の管理機器へ前記第１の存在情報を伝送させる第４のインターフェースと、前記第１の管理機器と前記第２のサーバとの間に設けられた、前記第１の管理機器から前記第２のサーバへ前記第１の構成情報を伝送させ、かつ、前記第２のサーバから前記第１の管理機器へ前記第２の構成情報を伝送させる第５のインターフェースと、前記第２の管理機器と前記第２のサーバとの間に設けられた、前記第２の管理機器から前記第２のサーバへ前記第２の構成情報を伝送させ、かつ、前記第２のサーバから前記第２の管理機器へ前記第１の構成情報を伝送させる第６のインターフェースと、をさらに具備する。
【発明の効果】
【００２６】
本発明によれば、ホワイトスペース周波数帯において、異種のコグニティブ無線システムを共存させるための向上した解決策を有し、これによりスペクトラム利用の効率を向上した、異種のコグニティブ無線システムを共存させるためのシステムを提供することができる。
【図面の簡単な説明】
【００２７】
【図１】互いに共存を必要とすべき、ホワイトスペース周波数帯で動作する異種のコグニティブ無線システムの展開例を示す配置図。
【図２】共存させるためのシステムを示す構成図。
【図３】共存実現器の参照モデルを示す図。
【図４】共存マネージャ、共存発見サーバ、および共存情報サーバの参照モデルを示す図。
【図５】互いに共存を必要とすべき、２つのコグニティブ無線システムＣＲＳ１、ＣＲＳ２による、共存させるためのシステムの展開シナリオを示す相関図。
【図６】図２中に示したインターフェースＡの例示的な参照モデルを示す図。
【図７】図２中に示したインターフェースＢ１の例示的な参照モデルを示す図。
【図８】図２中に示したインターフェースＢ２の例示的な参照モデルを示す図。
【図９】図２中に示したインターフェースＢ３の例示的な参照モデルを示す図。
【図１０】図２中に示したインターフェースＢ４の例示的な参照モデルを示す図。
【図１１】図２中に示したインターフェースＣの、共存情報サーバを伴った例示的な参照モデルを示す図。
【図１２】図２中に示したインターフェースＣの、共存マネージャ（ＣＭ）を伴った例示的な参照モデルを示す図。
【発明を実施するための形態】
【００２８】
以上を踏まえ、以下では本発明の実施形態を図面を参照しながら説明する。図１は、互いに共存を必要とすべき、ホワイトスペース周波数帯で動作する異種のコグニティブ無線システムの展開例を図解している。
【００２９】
この例では、第１のコグニティブ無線システムＣＲＳ１が、２つの端末Ｔ１１、Ｔ１２と通信する第１の基地局ＢＳ１１と、２つの端末Ｔ１３、Ｔ１４と通信する第２の基地局ＢＳ１２とを有する。第２のコグニティブ無線システムＣＲＳ２は、２つの端末Ｔ２１、Ｔ２２と通信するひとつの基地局ＢＳ２１を有する。第３のコグニティブ無線システムＣＲＳ３は、２つの端末Ｔ３１、Ｔ３２と通信する基地局ＢＳ３１を有する。
【００３０】
また、この例では、第１のコグニティブ無線システムＣＲＳ１は、送受領域ＣＡ１を持ち、第２のコグニティブ無線システムＣＲＳ２は、送受領域ＣＡ２を持ち、第３のコグニティブ無線システムＣＲＳ３は、送受領域ＣＡ３を持つ。
【００３１】
送受領域は、無線システムがそのユーザにサービスを提供できる領域である。これは、送受領域内にある端末で受信される基地局からの信号強度が信頼性のある受信ができるぐらいに高く、また、基地局で受信される、送受領域内にある端末からの信号強度が信頼性のある受信ができるぐらいに高いことを意味する。
【００３２】
この例では、コグニティブ無線システムＣＲＳ２の送受領域ＣＡ２は、その全体がコグニティブ無線システムＣＡ１の送受領域ＣＡ１の中にある。これは、もしコグニティブ無線システムＣＲＳ１と同ＣＲＳ２とがそれらの動作のため同じホワイトスペースを使うならば、それらが互いに妨害し合うことを意味する。このような状況を避けるため、それらは互いに共存すべきものであり、例えば、それらの動作のため異なるホワイトスペースを選択すればよい。同様に、コグニティブ無線システムＣＲＳ１と同ＣＲＳ３とでは、それらの送受領域ＣＡ１と同ＣＡ３とが部分的に重なっており、よってそれらも互いに共存すべきものである。コグニティブ無線システムＣＲＳ２と同ＣＲＳ３とでは、それらの送受領域ＣＡ２と同ＣＡ３とで互いに重なりがなく、よって互いに共存すべきものとはならない。
【００３３】
要約すれば、この例では、コグニティブ無線システムＣＲＳ１は、コグニティブ無線システムＣＲＳ２および同ＣＲＳ３と共存する必要がある一方、コグニティブ無線システムＣＲＳ２と同ＣＲＳ３とは互いに共存する必要がない。
【００３４】
この例は、実際的な状況における、ひとつの典型的な展開シナリオと考えられる。コグニティブ無線システムＣＲＳ１は、大きな送受領域を伴うＩＥＥＥ ８０２．２２システムとすることができ、コグニティブ無線システムＣＲＳ２および同ＣＲＳ３は、それぞれ小さな送受領域を伴うＩＥＥＥ ８０２．１１ａｆシステムとすることができる。
【００３５】
ホワイトスペース周波数帯において、異種のコグニティブ無線システム間の共存を可能にするシステムは、例えば、図２に示される、共存させるためのシステム（以下、「共存システム」という）を用いて実施され得る。
【００３６】
この共存システムは、４つの機器と６つのインターフェースとを有する。以下に説明する。
【００３７】
この共存システムが有する機器は以下である。
・共存実現器（ＣＥ；付加機器；被管理機器；被管理サブシステム）２
・共存マネージャ（ＣＭ；管理機器；管理サブシステム）１
・共存発見サーバ（第１のサーバ；第１のサーバサブシステム）４
・共存情報サーバ（第３のサーバ；第３のサーバサブシステム）５
【００３８】
この共存システムが有するインターフェースは以下である。
・ＣＥ２と再構成可能な無線機３とのインターフェースＡ
・ＣＥ２とＣＭ１とのインターフェースＢ１
・ＣＭ１と共存発見サーバ４とのインターフェースＢ２
・ＣＭ１間のインターフェースＢ３
・ＣＭ１と共存情報サーバ５とのインターフェースＢ４
・ＴＶホワイトスペースデータベース６（第２のサーバ）とＣＭ１との間、またはＴＶホワイトスペースデータベース６と共存情報サーバ５との間のインターフェースＣ
【００３９】
ＣＥ２は以下の機能を担う機器である。
・このＣＥ２よりサービスを受ける再構成可能な無線機３から、共存に必要な情報を取得し、この情報をＣＭ１に提供する。
・このＣＥ２が位置するコグニティブ無線システムにサービス提供を行うＣＭ１によってなされた共存のための決定に従い、上記の再構成可能な無線機３を再構成することを要求する。
ここで、再構成可能な無線機３は、ホワイトスペース周波数帯における無線通信を担っているコグニティブ無線システムの一部と理解する。例えば、基地局、端末、基地局と端末の組、基地局といくつかの端末との組、いくつかの基地局といくつかの端末の組、いくつかの端末、などである。
【００４０】
ＣＭ１は以下の機能を担う機器である。
・このＣＭ１によってサービスを受けるコグニティブ無線システムとの共存を必要とすべき、ホワイトスペース周波数帯で動作する近隣のコグニティブ無線システムの発見を行う。
・共存のための決定を行う。
・共存に必要な情報を、ほかのコグニティブ無線システムにサービス提供している別のＣＭとの間で交換する。
・ＴＶホワイトスペースデータベース６から、共存に必要な情報を得る。
【００４１】
共存発見サーバ４は、互いに共存を必要とすべき、ホワイトスペース周波数帯で動作する近隣のコグニティブ無線システムの発見をサポートする機能を担う機器である。
【００４２】
共存情報サーバ５は、共存に必要な情報を得て、これを提供する機能を担う機器である。
【００４３】
ＣＥ２と再構成可能な無線機３との間のインターフェースＡは、次の機能を担う。
・再構成可能な無線機３から、共存に必要な情報を得る。
・再構成可能なこの無線機３を再構成することを要求する。
【００４４】
ＣＥ２とＣＭ１との間のインターフェースＢ１は、次の機能を担う。
・再構成可能な無線機３から得た共存に必要な情報をＣＭ１に提供する。
・共存のための決定に対応する再構成コマンドをＣＥ２に提供する。
【００４５】
ＣＭ１と共存発見サーバ４との間のインターフェースＢ２は、次の機能を担う。
・このＣＭ１によってサービス提供を受けるコグニティブ無線システムを共存発見サーバ４に登録する。
・このＣＭ１によってサービス提供を受けるコグニティブ無線システムと共存すべき、近隣のコグニティブ無線システムに関する情報を得るため、ＣＭ１により共存発見サーバ４にアクセスする。
【００４６】
ＣＭ１と別の異なるＣＭとの間のインターフェースＢ３は、これらのＣＭ間で、共存に必要な情報を交換する機能を担う。
【００４７】
ＣＭ１と共存情報サーバ５との間のインターフェースＢ４は、次の機能を担う。
・共存に必要な情報を、共存情報サーバ５に提供する。
・共存に必要な情報を、共存情報サーバ５から得る。
【００４８】
ＴＶホワイトスペースデータベース６とＣＭ１との間、またはＴＶホワイトスペースデータベース６と共存情報サーバ５との間のインターフェースＣは、ＣＭ１によってサービス提供を受けるコグニティブ無線システムが存在する位置でのその動作に利用できるＴＶチャンネルに関する情報を得る機能を有する。
【００４９】
ＣＥ２は、インターフェースＡを介して、このＣＥ２によってサービス提供を受ける再構成可能な無線機３から共存に必要な情報を得る。ＣＥ２は、それがサービス提供を行う再構成可能な無線機３から得た共存に必要な情報を、インターフェースＢ１を介したＣＭ１との通信によりＣＭ１に提供する
【００５０】
ＣＥ２がサービス提供する再構成可能な無線機３からそのＣＥ２が得る、共存に必要な情報は、スペクトラムセンシング情報、位置情報、送信電力情報、動作周波数および帯域幅の情報、動作無線アクセス技術情報、再構成能力のいずれかひとつ以上を含む。
【００５１】
ＣＥ２は、インターフェースＢ１を用いて、このＣＥ２が位置するコグニティブ無線システムにサービス提供を行うＣＭ１と通信し、このＣＭ１から再構成コマンドを受け取る。また、ＣＥ２は、インターフェースＡを用いて、このＣＥ２がサービス提供を行う再構成可能な無線機３と通信し、この無線機３を再構成することを要求する。
【００５２】
ＣＭ１は、このＣＭ１からサービス提供を受けるコグニティブ無線システムとの共存を必要とすべき、ホワイトスペース周波数帯で動作する、近隣のコグニティブ無線システムの発見を行う。ＣＭ１は、このため、自身がサービス提供するコグニティブ無線システムを共存発見サーバ４に登録し、かつ、この共存発見サーバ４にアクセスして、このＣＭ１からサービス提供を受けるコグニティブ無線システムとの共存を必要とすべき、ホワイトスペース周波数帯で動作する、近隣のコグニティブ無線システムに関する情報を得る。
【００５３】
ＣＭ１は、インターフェースＢ２を用いて共存発見サーバ４と通信し、自身がサービス提供するコグニティブ無線システムをこの共存発見サーバ４に登録する。
【００５４】
ＣＭ１は、インターフェースＢ２を使って、自身がサービス提供を行うコグニティブ無線システムを共存発見サーバ４に登録する。このとき、存在情報として、そのコグニティブ無線システムの識別子、そのコグニティブ無線システムの位置、およびそのコグニティブ無線システムのネットワークアドレスのうちのひとつ以上を共存発見サーバ４に送る。
【００５５】
ＣＭ１は、インターフェースＢ２を使って共存発見サーバ４と通信することにより、このＣＭ１によりサービス提供を受けるコグニティブ無線システムと共存することを必要とすべき、ホワイトスペース周波数帯で動作する別のコグニティブ無線システムに関する情報（存在情報）を得る。
【００５６】
ＣＭ１がインターフェースＢ２を使って共存発見サーバ４から得た、ホワイトスペース周波数帯で動作する別のコグニティブ無線システムに関する情報（存在情報）は、少なくとも、これらのコグニティブ無線システムの識別子、およびこれらのコグニティブ無線システムのネットワークアドレスを含む。
【００５７】
ＣＭ１は、共存のための決定を行う。それは、送信電力を変更する旨の決定、動作周波数を変更する旨の決定、動作帯域幅を変更する旨の決定、無線アクセス技術を変更する旨の決定、送信スケジュールを変更する旨の決定のうちのひとつ以上の決定である。決定は、再構成コマンドとして反映される。
【００５８】
ＣＭ１は、共存に必要な情報の交換を、ほかのコグニティブ無線システムにサービス提供を行うＣＭとの間のインターフェースＢ３を使った、それらのＣＭとの通信により行う。
【００５９】
ＣＭ１は、共存に必要な情報の交換を、ほかのコグニティブ無線システムにサービス提供を行うＣＭとの間で行う。これは、共存に必要な情報を共存情報サーバ５に提供し、共存情報サーバ５から共存に必要な情報を得ることでなされる。
【００６０】
ＣＭ１は、共存に必要な情報を共存情報サーバ５に提供する。これは、インターフェースＢ４を使った共存情報サーバ５との通信による。ＣＭ１は、共存に必要な情報を共存情報サーバ５から得る。これも、インターフェースＢ４を使った共存情報サーバ５との通信による。
【００６１】
インターフェースＢ３を使ってＣＭ１、別のＣＭが交換する、共存に必要な情報は、再構成可能な無線機３からの情報（構成情報）、およびＴＶホワイトスペースデータベース６からの情報のうちのひとつ以上を含む。
【００６２】
インターフェースＢ４を使って共存情報サーバ５にＣＭ１が提供する、共存に必要な情報は、再構成可能な無線機３からの情報（構成情報）、およびＴＶホワイトスペースデータベース６からの情報のうちのひとつ以上を含む。
【００６３】
インターフェースＢ４を使ってＣＭ１が共存情報サーバ５から得る、共存に必要な情報は、再構成可能な無線機からの情報、およびＴＶホワイトスペースデータベース６からの情報のうちのひとつ以上を含む。
【００６４】
ＣＭ１は、ＴＶホワイトスペースデータベース６とこのＣＭ１との間のインターフェースＣを用いてＴＶホワイトスペースデータベース６と通信することにより、このＴＶホワイトスペースデータベース６から共存に必要な情報を得る。
【００６５】
ＣＭ１は、このＣＭ１と共存情報サーバ５との間のインターフェースＢ４を用いて共存情報サーバ５と通信することにより、ＴＶホワイトスペースデータベース６から共存に必要な情報を得る。
【００６６】
共存情報サーバ５は、ＴＶホワイトスペースデータベース６とこの共存情報サーバ５との間のインターフェースＣを用いてＴＶホワイトスペースデータベース６と通信することにより、このＴＶホワイトスペースデータベース６から共存に必要な情報を得る。
【００６７】
ＴＶホワイトスペースデータベース６からの情報は、コグニティブ無線システムが存在する位置でその動作に利用できるＴＶチャンネルに関する情報を含む。
【００６８】
図３は、共存実現器２の参照モデルを図解している。
【００６９】
共存実現器２は、ひとつのＣＯＥＸ＿ＴＲ＿ＳＡＰサービスアクセスポイントとひとつのＣＯＥＸ＿ＭＥＤＩＡ＿ＳＡＰサービスアクセスポイントとを有する。ＣＯＥＸ＿ＭＥＤＩＡ＿ＳＡＰは、この共存実現器２が、下にあるレイヤによって供給されたトランスポートサービスを使うときの手段として機能する。下にあるレイヤは、アプリケーションレイヤ、トランスポートレイヤ、ネットワークレイヤ、リンクレイヤとすることができる。ＣＯＥＸ＿ＴＲ＿ＳＡＰは、この共存実現器２が、そのサービス提供を受ける再構成可能な無線機３から共存に必要な情報を得、また、この共存実現器２が位置するコグニティブ無線システムにサービス提供を行う共存マネージャ１から受けた再構成コマンドに従い、この再構成可能な無線機３の再構成を要求するときの手段として機能する。
【００７０】
図４は、共存マネージャ１、共存発見サーバ４、および共存情報サーバ５の参照モデルを図解している。
【００７１】
これらの機器のそれぞれは、ひとつのＣＯＥＸ＿ＴＲ＿ＳＡＰサービスアクセスポイントを有する。ＣＯＥＸ＿ＴＲ＿ＳＡＰは、共存マネージャ１、共存発見サーバ４、または共存情報サーバ５が、下にあるレイヤによって供給されたトランスポートサービスを使うときの手段として機能する。下にあるレイヤは、アプリケーションレイヤ、トランスポートレイヤ、ネットワークレイヤ、リンクレイヤとすることができる。
【００７２】
図５は、互いに共存を必要とすべき、２つのコグニティブ無線システムＣＲＳ１、ＣＲＳ２における共存システムの展開シナリオを図解している。
【００７３】
図５の展開例では、互いに共存を必要とすべき、２つのコグニティブ無線システムＣＲＳ１、ＣＲＳ２が存在する。コグニティブ無線システムＣＲＳ１は、２つの基地局ＢＳ１１、ＢＳ１２と、４つの端末Ｔ１１、Ｔ１２、Ｔ１３、Ｔ１４とを含む。基地局ＢＳ１１は、端末Ｔ１１、Ｔ１２と通信する。基地局ＢＳ１２は、端末Ｔ１３、Ｔ１４と通信する。コグニティブ無線システムＣＲＳ２は、基地局ＢＳ２１と、２つの端末Ｔ２１、Ｔ２２とを含む。基地局ＢＳ２１は、端末Ｔ２１、Ｔ２２と通信する。
【００７４】
この展開シナリオの例では、各ＣＥ（共存実現器ＣＥ１１、ＣＥ１２、ＣＥ２１）は、基地局ＢＳ１１、ＢＳ１２、ＢＳ２１内に展開される。共存実現器ＣＥ１１は、基地局ＢＳ１１内に展開され、共存実現器ＣＥ１２は基地局ＢＳ１２内に展開され、共存実現器ＣＥ２１は、基地局ＢＳ２１内に展開される。これらの共存実現器ＣＥ１１、ＣＥ１２、ＣＥ２１は、基地局ＢＳ１１、ＢＳ１２、ＢＳ２１内で動作するソフトウエアと考えることができる。これに対応して、各共存実現器ＣＥ１１、ＣＥ１２、ＣＥ２１と再構成可能な各無線機ＲＲ１１、ＲＲ１２、ＲＲ２１との間のインターフェースＡもまた基地局ＢＳ１１、ＢＳ１２、ＢＳ２１内にある。インターフェースＡの３つの適用例が、Ａ＿１１、Ａ＿１２、Ａ＿２１として、図５に示される。
【００７５】
インターフェースＡの例示的な実装を記述する、ＣＥ２（図２参照）の例示的な参照モデルが図６に示される。
【００７６】
図６の左側は、物理レイヤ、ＭＡＣサブレイヤ、およびコンバージェンスサブレイヤの、データ、制御、管理の各プレーンを含む無線インターフェースの典型的な参照モデルを示す。これは、例えば、ＩＥＥＥ ８０２．２２、ＩＥＥＥ ８０２．１１ａｆ、あるいはＥＣＭＡ ３９２の無線インターフェースとすることができる。図６の中間部分は、基地局管理機能部Ａａを示す。図６の右側はＣＥ２を示す。
【００７７】
典型的に、無線インターフェースは、基地局管理機能部Ａａに対する管理インターフェースを提供するように実装される。図６において、この無線インターフェースは、物理レイヤ、ＭＡＣサブレイヤ、およびコンバージェンスサブレイヤに対応する、３つのサービスアクセスポイントＰＨＹ＿ＭＥ＿ＳＡＰ、ＭＡＣ＿ＭＥ＿ＳＡＰ、ＣＳ＿ＭＥ＿ＳＡＰで表わされる。このサービスアクセスポイントは、無線インターフェースから情報を得るため、そして無線インターフェースの再構成を要求するために使われ得る。対応して、ＣＥ２は、これらのサービスアクセスポイントを使って、インターフェースＡを実装することができる。図６において、このインターフェースは、サービスアクセスポイントＣＯＥＸ＿ＭＥＤＩＡ＿ＳＡＰで表わされる。無線インターフェース管理サービスアクセスポイントＰＨＹ＿ＭＥ＿ＳＡＰ、ＭＡＣ＿ＭＥ＿ＳＡＰ、ＣＳ＿ＭＥ＿ＳＡＰと、ＣＥサービスアクセスポイントＣＯＥＸ＿ＭＥＤＩＡ＿ＳＡＰとの間の通信は、基地局管理機能部Ａａを介してなされ得る。
【００７８】
図５における共存実現器ＣＥ１１は、インターフェースＡ＿１１を使った、再構成可能な無線機ＲＲ１１との通信により、共存に必要な情報を、再構成可能なこの無線機ＲＲ１１から得る。ここで、無線機ＲＲ１１は、基地局ＢＳ１１、端末Ｔ１１、Ｔ１２に相当する。共存実現器ＣＥ１１は、サービスアクセスポイントＣＯＥＸ＿ＭＥＤＩＡ＿ＳＡＰに当たるインターフェースＡ＿１１を使って基地局ＢＳ１１から共存に必要な情報を得る。基地局ＢＳ１１は、端末Ｔ１１および同Ｔ１２との間で情報を交換する。共存実現器ＣＥ１１は、サービスアクセスポイントＣＯＥＸ＿ＭＥＤＩＡ＿ＳＡＰに当たるインターフェースＡ＿１１を使い基地局ＢＳ１１を介して、端末Ｔ１１、Ｔ１２から共存に必要な情報を得る。
【００７９】
共存実現器ＣＥ１１が無線機ＲＲ１１から、共存実現器ＣＥ１２から無線機ＲＲ１２から、共存実現器ＣＥ２１が無線機ＲＲ２１から、それぞれ得る共存に必要な情報は、スペクトラムセンシング情報、位置情報、送信電力情報、動作周波数および帯域幅の情報、動作無線アクセス技術情報、再構成能力のうちのいずれかひとつ以上を含む。
【００８０】
共存実現器ＣＥ１２は、同様に、サービスアクセスポイントＣＯＥＸ＿ＭＥＤＩＡ＿ＳＡＰに当たるインターフェースＡ＿１２を使った、再構成可能な無線機ＲＲ１２との通信により、共存に必要な情報を、再構成可能なこの無線機ＲＲ１２から得る。
【００８１】
共存実現器ＣＥ２１は、同様に、サービスアクセスポイントＣＯＥＸ＿ＭＥＤＩＡ＿ＳＡＰに当たるインターフェースＡ＿２１を使った、再構成可能な無線機ＲＲ２１との通信により、共存に必要な情報を、再構成可能なこの無線機ＲＲ２１から得る。
【００８２】
共存実現器ＣＥ１１は、インターフェースＡ＿１１を使った通信により、無線機ＲＲ１を再構成することを要求する。共存実現器ＣＥ１１は、サービスアクセスポイントＣＯＥＸ＿ＭＥＤＩＡ＿ＳＡＰに当たるインターフェースＡ＿１１を使い、基地局ＢＳ１１の再構成を要求する。基地局ＢＳ１１の再構成は、端末Ｔ１１、Ｔ１２の再構成を必要とする可能性もある。このような再構成は、基地局ＢＳ１１により要求されその制御下で行われ得る。共存実現器ＣＥ１１は、サービスアクセスポイントＣＯＥＸ＿ＭＥＤＩＡ＿ＳＡＰに当たるインターフェースＡ＿１１を使い基地局ＢＳ１１を介して、端末Ｔ１１、Ｔ１２の再構成を要求する。
【００８３】
共存実現器ＣＥ１２は、同様に、サービスアクセスポイントＣＯＥＸ＿ＭＥＤＩＡ＿ＳＡＰに当たるインターフェースＡ＿１２を使った、再構成可能な無線機ＲＲ１２との通信により、この無線機ＲＲ１２の再構成を要求する。
【００８４】
共存実現器ＣＥ２１は、同様に、サービスアクセスポイントＣＯＥＸ＿ＭＥＤＩＡ＿ＳＡＰに当たるインターフェースＡ＿１２を使った、再構成可能な無線機ＲＲ２１との通信により、この無線機ＲＲ２１の再構成を要求する。
【００８５】
図５の展開例では、コグニティブ無線システムのそれぞれは、おのおのひとつの共存マネージャＣＭ１０、ＣＭ２０によってサービスを受けている。コグニティブ無線システムＣＲＳ１は、共存マネージャＣＭ１０によりサービスを受け、コグニティブ無線システムＣＲＳ２は、共存マネージャＣＭ２０によりサービスを受ける。これらの共存マネージャＣＭ１０、ＣＭ２０は、例えば汎用のコンピュータの内部で動作するソフトウエアと考えることができる。
【００８６】
図２においてＣＥ２とＣＭ１との間のインターフェースＢ１は、ＩＰベースのネットワーク、例えばインターネットを使って実現され得る。インターフェースＢ１の３つの適用例が、図５に示されるＢ１＿１１、Ｂ１＿１２、Ｂ１＿２１である。
【００８７】
インターフェースＢ１の例示的な実装を示す、ＣＥ２およびＣＭ１の例示的な参照モデルが図７に示される。
【００８８】
図２においてインターフェースＢ１を介してＣＥ２とＣＭ１との間で交換される、共存に必要な情報および再構成コマンドは、送信のため、トランスポートレイヤ、例えばＴＣＰに送られる。これは、ＣＥ２、ＣＭ１のＣＯＥＸ＿ＴＲ＿ＳＡＰサービスアクセスポイントを介してなされる。
【００８９】
図５における共存実現器ＣＥ１１は、インターフェースＢ１＿１１を使って共存マネージャＣＭ１０と通信し、無線機ＲＲ１１から得られた共存に必要な情報を共存マネージャＣＭ１０に提供する。共存実現器ＣＥ１１および共存マネージャＣＭ１０は、ＣＯＥＸ＿ＴＲ＿ＳＡＰを使い、下にあるレイヤにより提供されるトランスポートサービスを使う。これにより、インターフェースＢ１＿１１を使って互いに通信を行う。
【００９０】
共存実現器ＣＥ１２は、インターフェースＢ１＿１２を使って共存マネージャＣＭ１０と通信し、無線機ＲＲ１２から得られた共存に必要な情報を共存マネージャＣＭ１０に提供する。共存実現器ＣＥ１２および共存マネージャＣＭ１０は、ＣＯＥＸ＿ＴＲ＿ＳＡＰを使い、下にあるレイヤにより提供されるトランスポートサービスを使う。これにより、インターフェースＢ１＿１２を使って互いに通信を行う。
【００９１】
共存実現器ＣＥ２１は、インターフェースＢ１＿２１を使って共存マネージャＣＭ２０と通信し、無線機ＲＲ２１から得られた共存に必要な情報を共存マネージャＣＭ２０に提供する。共存実現器ＣＥ２１および共存マネージャＣＭ２０は、ＣＯＥＸ＿ＴＲ＿ＳＡＰを使い、下にあるレイヤにより提供されるトランスポートサービスを使う。これにより、インターフェースＢ１＿２１を使って互いに通信を行う。
【００９２】
共存実現器ＣＥ１１は、インターフェースＢ１＿１１を使って共存マネージャＣＭ１０と通信し、共存マネージャＣＭ１０から再構成コマンドを受け取る。共存実現器ＣＥ１１および共存マネージャＣＭ１０は、ＣＯＥＸ＿ＴＲ＿ＳＡＰを使い、下にあるレイヤにより提供されるトランスポートサービスを使う。これにより、インターフェースＢ１＿１１を使って互いに通信を行う。
【００９３】
共存実現器ＣＥ１２は、インターフェースＢ１＿１２を使って共存マネージャＣＭ１０と通信し、共存マネージャＣＭ１０から再構成コマンドを受け取る。共存実現器ＣＥ１２および共存マネージャＣＭ１０は、ＣＯＥＸ＿ＴＲ＿ＳＡＰを使い、下にあるレイヤにより提供されるトランスポートサービスを使う。これにより、インターフェースＢ１＿１２を使って互いに通信を行う。
【００９４】
共存実現器ＣＥ２１は、インターフェースＢ１＿２１を使って共存マネージャＣＭ２０と通信し、共存マネージャＣＭ２０から再構成コマンドを受け取る。共存実現器ＣＥ２１および共存マネージャＣＭ２０は、ＣＯＥＸ＿ＴＲ＿ＳＡＰを使い、下にあるレイヤにより提供されるトランスポートサービスを使う。これにより、インターフェースＢ１＿２１を使って互いに通信を行う。
【００９５】
図５の展開例では、ひとつの共存発見サーバ４によっていくつかのＣＭがサービスを受ける。共存発見サーバ４は、例えば汎用のコンピュータ内で動作するソフトウエアと考えることができる。
【００９６】
図２におけるＣＭ１と共存発見サーバ４との間のインターフェースＢ２は、ＩＰベースのネットワーク、例えばインターネットを使って実現され得る。インターフェースＢ２の２つの適用例が、図５に示されているＢ２＿１、Ｂ２＿２である。
【００９７】
インターフェースＢ２の例示的な実装を示す、ＣＭ１および共存発見サーバ４の例示的な参照モデルが図８に示される。
【００９８】
図２において、インターフェースＢ２を介してＣＭ１と共存発見サーバ４との間で交換される情報は、送信のため、トランスポートレイヤ、例えばＴＣＰに送られる。これは、ＣＭ１および共存発見サーバ４のＣＯＥＸ＿ＴＲ＿ＳＡＰサービスアクセスポイントを介してなされる。
【００９９】
図５における共存マネージャＣＭ１０は、インターフェースＢ２＿１を使って共存発見サーバ４と通信し、共存発見サーバ４にＣＲＳ１を登録する。共存マネージャＣＭ１０および共存発見サーバ４は、ＣＯＥＸ＿ＴＲ＿ＳＡＰを使い、下にあるレイヤにより提供されるトランスポートサービスを使う。これにより、インターフェースＢ２＿１を使って互いに通信を行う。共存マネージャＣＭ１０は、インターフェースＢ２＿１を使い、ＣＲＳ１の識別子、ＣＲＳ１の位置、ＣＲＳ１のネットワークアドレスのうちの少なくともひとつを共存発見サーバ４に送ることにより、ＣＲＳ１を共存発見サーバ４に登録する。
【０１００】
共存マネージャＣＭ２０は、インターフェースＢ２＿２を使って共存発見サーバ４と通信し、共存発見サーバ４にＣＲＳ２を登録する。共存マネージャＣＭ２０および共存発見サーバ４は、ＣＯＥＸ＿ＴＲ＿ＳＡＰを使い、下にあるレイヤにより提供されるトランスポートサービスを使う。これにより、インターフェースＢ２＿２を使って互いに通信を行う。共存マネージャＣＭ２０は、インターフェースＢ２＿２を使い、ＣＲＳ２の識別子、ＣＲＳ２の位置、ＣＲＳ２のネットワークアドレスのうちの少なくともひとつを共存発見サーバ４に送ることにより、ＣＲＳ２を共存発見サーバ４に登録する。
【０１０１】
共存マネージャＣＭ１０は、インターフェースＢ２＿１を使った共存発見サーバ４との通信で共存発見サーバ４にアクセスし、ＣＲＳ１と共存を必要とすべき、ホワイトスペース周波数帯で動作するコグニティブ無線システムに関する情報を得る。共存マネージャＣＭ１０および共存発見サーバ４は、ＣＯＥＸ＿ＴＲ＿ＳＡＰを用い、下にあるレイヤにより提供されるトランスポートサービスを使う。これにより、インターフェースＢ２＿１を使用し、互いの通信を行う。インターフェースＢ２＿１を用い共存マネージャＣＭ１０が共存発見サーバ４から得た、ホワイトスペース周波数帯で動作するコグニティブ無線システムに関する情報は、少なくとも、これらのコグニティブ無線システムの識別子、同ネットワークアドレスを含む。特に、共存マネージャＣＭ１０は、共存発見サーバ４から次の情報を得ることになろう。すなわち、ＣＲＳ２の識別子およびＣＲＳ２のインターネットアドレスである。
【０１０２】
共存マネージャＣＭ２０は、インターフェースＢ２＿２を使った共存発見サーバ４との通信で共存発見サーバ４にアクセスし、ＣＲＳ２と共存を必要とすべき、ホワイトスペース周波数帯で動作するコグニティブ無線システムに関する情報を得る。共存マネージャＣＭ２０および共存発見サーバ４は、ＣＯＥＸ＿ＴＲ＿ＳＡＰを用い、下にあるレイヤにより提供されるトランスポートサービスを使う。これにより、インターフェースＢ２＿２を使用し、互いの通信を行う。インターフェースＢ２＿２を用い共存マネージャＣＭ２０が共存発見サーバ４から得た、ホワイトスペース周波数帯で動作するコグニティブ無線システムに関する情報は、少なくとも、これらのコグニティブ無線システムの識別子、同ネットワークアドレスを含む。特に、共存マネージャＣＭ２０は、共存発見サーバ４から次の情報を得ることになろう。すなわち、ＣＲＳ１の識別子およびＣＲＳ１のインターネットアドレスである。
【０１０３】
共存マネージャＣＭ１０は、ＣＲＳ１のため、共存のための決定を行う。共存マネージャＣＭ１０は、基地局ＢＳ１１、端末Ｔ１１、Ｔ１２のうちの少なくともひとつの送信電力を変更するという決定、基地局ＢＳ１１、端末Ｔ１１、Ｔ１２のうちの少なくともひとつの動作周波数を変更するという決定、基地局ＢＳ１１、端末Ｔ１１、Ｔ１２のうちの少なくともひとつの動作帯域幅を変更するという決定、基地局ＢＳ１１、端末Ｔ１１、Ｔ１２のうちの少なくともひとつの無線アクセス技術を変更するという決定、および基地局ＢＳ１１、端末Ｔ１１、Ｔ１２のうちの少なくともひとつの送信スケジュールを変更するという決定、の各決定のうち少なくともひとつを含む決定を行う。また、共存マネージャＣＭ１０は、基地局ＢＳ１２、端末Ｔ１３、Ｔ１４のうちの少なくともひとつの送信電力を変更するという決定、基地局ＢＳ１２、端末Ｔ１３、Ｔ１４のうちの少なくともひとつの動作周波数を変更するという決定、基地局ＢＳ１２、端末Ｔ１３、Ｔ１４のうちの少なくともひとつの動作帯域幅を変更するという決定、基地局ＢＳ１２、端末Ｔ１３、Ｔ１４のうちの少なくともひとつの無線アクセス技術を変更するという決定、および基地局ＢＳ１２、端末Ｔ１３、Ｔ１４のうちの少なくともひとつの送信スケジュールを変更するという決定、の各決定のうち少なくともひとつを含む決定を行う。
【０１０４】
共存マネージャＣＭ２０は、ＣＲＳ２のため、共存のための決定を行う。共存マネージャＣＭ２０は、基地局ＢＳ２１、端末Ｔ２１、Ｔ２２のうちの少なくともひとつの送信電力を変更するという決定、基地局ＢＳ２１、端末Ｔ２１、Ｔ２２のうちの少なくともひとつの動作周波数を変更するという決定、基地局ＢＳ２１、端末Ｔ２１、Ｔ２２のうちの少なくともひとつの動作帯域幅を変更するという決定、基地局ＢＳ２１、端末Ｔ２１、Ｔ２２のうちの少なくともひとつの無線アクセス技術を変更するという決定、基地局ＢＳ２１、端末Ｔ２１、Ｔ２２のうちの少なくともひとつの送信スケジュールを変更するという決定、の各決定のうち少なくともひとつを含む決定を行う。
【０１０５】
図５の展開例では、異なるＣＭが異なるコグニティブ無線システムにサービス提供を行う。これらのコグニティブ無線システムは、共存のために必要な情報の交換を必要とする可能性がある。この情報を交換するひとつの方法は、ＣＭ間（共存マネージャＣＭ１０、ＣＭ２０間）のインターフェースＢ３を使うものである。
【０１０６】
インターフェースＢ３の例示的な実装を示す、ＣＭ１の例示的な参照モデルが図９に示される。
【０１０７】
図２におけるインターフェースＢ３を介して交換される、ＣＭ１、別のＣＭ間の情報は、送信のため、トランスポートレイヤ、例えばＴＣＰに送られる。これは、ＣＭのＣＯＥＸ＿ＴＲ＿ＳＡＰサービスアクセスポイントを介して行われる。
【０１０８】
図５における、ＣＲＳ１にサービス提供を行う共存マネージャＣＭ１０とＣＲＳ２にサービス提供を行う共存マネージャＣＭ２０とは、インターフェースＢ３を使う互いの間の通信により、共存に必要な情報を交換する。共存マネージャＣＭ１０および同ＣＭ２０は、ＣＯＥＸ＿ＴＲ＿ＳＡＰを用い、下にあるレイヤにより提供されるトランスポートサービスを使う。これにより、インターフェースＢ３を使用し、互いの通信を行う。インターフェースＢ３を用いて共存マネージャＣＭ１０および同ＣＭ２０が交換する、共存に必要な情報は、再構成可能な無線機ＲＲ１１、ＲＲ１２、ＲＲ２１からの情報、およびＴＶホワイトスペースデータベース６からの情報のうちの少なくともひとつの情報を含む。特に、共存マネージャＣＭ１０は、無線機ＲＲ１１、ＲＲ１２からの情報、およびＴＶホワイトスペースデータベース６からの情報を共存マネージャＣＭ２０に提供することができる。一方、共存マネージャＣＭ２０は、無線機ＲＲ２１からの情報、およびＴＶホワイトスペースデータベース６からの情報を共存マネージャＣＭ１０に提供することができる。
【０１０９】
図５の展開例では、異なるＣＭ（共存マネージャＣＭ１０、ＣＭ２０）が異なるコグニティブ無線システムにサービス提供を行う。これらのコグニティブ無線システムは、共存のために必要な情報の交換を必要とする可能性がある。この情報を交換するもうひとつの方法は、共存マネージャＣＭ１０、ＣＭ２０と共存情報サーバ５との間のインターフェースＢ４を使うものである。
【０１１０】
図５の展開例では、ひとつの共存情報サーバ５によっていくつかのＣＭがサービスを受ける。共存情報サーバ５は、例えば汎用のコンピュータの内部で動作するソフトウエアと考えることができる。図２におけるＣＭ１と共存発見サーバ４との間のインターフェースＢ４は、ＩＰベースのネットワーク、例えばインターネットを使って実現され得る。インターフェースＢ４の２つの適用例が、図５に示されているＢ４＿１、Ｂ４＿２である。
【０１１１】
インターフェースＢ４の例示的な実装を示す、ＣＭ１および共存情報サーバ５の例示的な参照モデルが図１０に示される。
【０１１２】
インターフェースＢ４を介してＣＭ１と共存情報サーバ５との間で交換される情報は、送信のため、トランスポートレイヤ、例えばＴＣＰに送られる。これは、ＣＭ１および共存情報サーバ５のＣＯＥＸ＿ＴＲ＿ＳＡＰサービスアクセスポイントを介して行われる。
【０１１３】
図５において共存マネージャＣＭ１０は、インターフェースＢ４＿１を介して共存情報サーバ５と通信することにより、共存に必要な情報をこの共存情報サーバ５に提供する。共存マネージャＣＭ１０および共存情報サーバ５は、ＣＯＥＸ＿ＴＲ＿ＳＡＰを用い、下にあるレイヤにより提供されるトランスポートサービスを使う。これにより、インターフェースＢ４＿１を使用し、互いの通信を行う。インターフェースＢ４＿１を用いて共存マネージャＣＭ１０が共存情報サーバ５に提供する、共存に必要な情報は、再構成可能な無線機ＲＲ１１、ＲＲ１２からの情報、およびＴＶホワイトスペースデータベース６からの情報のうちの少なくともひとつの情報を含む。
【０１１４】
共存マネージャＣＭ２０は、インターフェースＢ４＿２を介して共存情報サーバ５と通信することにより、共存に必要な情報をこの共存情報サーバ５に提供する。共存マネージャＣＭ２０および共存情報サーバ５は、ＣＯＥＸ＿ＴＲ＿ＳＡＰを用い、下にあるレイヤにより提供されるトランスポートサービスを使う。これにより、インターフェースＢ４＿２を使用し、互いの通信を行う。インターフェースＢ４＿２を用いて共存マネージャＣＭ２０が共存情報サーバ５に提供する、共存に必要な情報は、再構成可能な無線機ＲＲ２１からの情報、およびＴＶホワイトスペースデータベース６からの情報のうちの少なくともひとつの情報を含む。
【０１１５】
共存マネージャＣＭ１０は、インターフェースＢ４＿１を介して共存情報サーバ５と通信することにより、共存に必要な情報をこの共存情報サーバ５から得る。共存マネージャＣＭ１０および共存情報サーバ５は、ＣＯＥＸ＿ＴＲ＿ＳＡＰを用い、下にあるレイヤにより提供されるトランスポートサービスを使う。これにより、インターフェースＢ４＿１を使用し、互いの通信を行う。インターフェースＢ４＿１を用いて共存マネージャＣＭ１０が共存情報サーバ５から得る、共存に必要な情報は、再構成可能な無線機ＲＲ２１からの情報、およびＴＶホワイトスペースデータベース６からの情報のうちの少なくともひとつの情報を含む。
【０１１６】
共存マネージャＣＭ２０は、インターフェースＢ４＿２を介して共存情報サーバ５と通信することにより、共存に必要な情報をこの共存情報サーバ５から得る。共存マネージャＣＭ２０および共存情報サーバ５は、ＣＯＥＸ＿ＴＲ＿ＳＡＰを用い、下にあるレイヤにより提供されるトランスポートサービスを使う。これにより、インターフェースＢ４＿２を使用し、互いの通信を行う。インターフェースＢ４＿２を用いて共存マネージャＣＭ２０が共存情報サーバ５から得る、共存に必要な情報は、再構成可能な無線機ＲＲ１１、ＲＲ１２からの情報、およびＴＶホワイトスペースデータベース６からの情報のうちの少なくともひとつの情報を含む。
【０１１７】
共存マネージャＣＭ１０は、共存のための決定を行うために、そのコグニティブ無線システムが置かれる位置でのその動作に利用できるＴＶチャンネルに関する情報を必要とする。この情報は、インターフェースＣを使ってＴＶホワイトスペースデータベース６から得られる。図５の展開例では、インターフェースＣの２つのオプションを示している。ひとつは、共存マネージャＣＭ１０、ＣＭ２０とＴＶホワイトスペースデータベース６との間に設けられ、別のものは、共存情報サーバ５とＴＶホワイトスペースデータベース６との間に設けられる。後者では、共存マネージャＣＭ１０、ＣＭ２０は、ＴＶホワイトスペースデータベース６からの情報は、共存情報サーバ５を介して得る。
【０１１８】
インターフェースＣの例示的な実装を示す、共存情報サーバ５の例示的な参照モデルが図１１に示される。
【０１１９】
インターフェースＣの例示的な実装を示す、ＣＭ１の例示的な参照モデルが図１２に示される。
【０１２０】
図２において、インターフェースＣを介して交換される、ＣＭ１または共存情報サーバ５と、ＴＶホワイトスペースデータベース６との間の情報は、送信のため、トランスポートレイヤ、例えばＴＣＰに送られる。これは、ＣＭ１および共存情報サーバ５のＣＯＥＸ＿ＴＲ＿ＳＡＰサービスアクセスポイントを介して行われる。
【０１２１】
図５における共存マネージャＣＭ１０および同ＣＭ２０が、ＴＶホワイトスペースデータベース６から情報を得るひとつのオプションは、インターフェースＣ＿１およびＣ＿２を用いてＴＶホワイトスペースデータベース６と通信することによる。
【０１２２】
共存マネージャＣＭ１０は、インターフェースＣ＿１を介してＴＶホワイトスペースデータベース６と通信することにより、共存に必要な情報をこのＴＶホワイトスペースデータベース６から得る。共存マネージャＣＭ１０は、ＣＯＥＸ＿ＴＲ＿ＳＡＰを用い、下にあるレイヤにより提供されるトランスポートサービスを使う。これにより、インターフェースＣ＿１を使用し、ＴＶホワイトスペースデータベース６との通信を行う。ＴＶホワイトスペースデータベース６からの情報は、ＣＲＳ１が置かれている位置でのその動作に利用できるＴＶチャンネルに関する情報を含む。
【０１２３】
共存マネージャＣＭ２０は、インターフェースＣ＿２を介してＴＶホワイトスペースデータベース６と通信することにより、共存に必要な情報をこのＴＶホワイトスペースデータベース６から得る。共存マネージャＣＭ２０は、ＣＯＥＸ＿ＴＲ＿ＳＡＰを用い、下にあるレイヤにより提供されるトランスポートサービスを使う。これにより、インターフェースＣ＿２を使用し、ＴＶホワイトスペースデータベース６との通信を行う。ＴＶホワイトスペースデータベース６からの情報は、ＣＲＳ２が置かれている位置でのその動作に利用できるＴＶチャンネルに関する情報を含む。
【０１２４】
図５における共存マネージャＣＭ１０および同ＣＭ２０が、ＴＶホワイトスペースデータベース６から情報を得るもうひとつのオプションは、共存情報サーバ５を介してのものである。
【０１２５】
共存情報サーバは、インターフェースＣを用いＴＶホワイトスペースデータベースと通信することにより、ＴＶホワイトスペースデータベースから共存に必要な情報を得る。共存情報サーバは、ＣＯＥＸ＿ＴＲ＿ＳＡＰを用い、下にあるレイヤにより提供されるトランスポートサービスを使う。これにより、インターフェースＣを使用し、ＴＶホワイトスペースデータベース６との通信を行う。ＴＶホワイトスペースデータベース６からの情報は、ＣＲＳ１、ＣＲＳ２が置かれている位置でのその動作に利用できるＴＶチャンネルに関する情報を含む。
【０１２６】
共存マネージャＣＭ１０は、インターフェースＢ４＿１を介して共存情報サーバ５と通信することにより、共存に必要な情報をＴＶホワイトスペースデータベース６から得る。共存マネージャＣＭ１０および共存情報サーバ５は、ＣＯＥＸ＿ＴＲ＿ＳＡＰを用い、下にあるレイヤにより提供されるトランスポートサービスを使う。これにより、インターフェースＢ４＿１を使用し、互いの間の通信を行う。ＴＶホワイトスペースデータベース６からの情報は、ＣＲＳ１が置かれている位置でのその動作に利用できるＴＶチャンネルに関する情報を含む。
【０１２７】
共存マネージャＣＭ２０は、インターフェースＢ４＿２を介して共存情報サーバ５と通信することにより、共存に必要な情報をＴＶホワイトスペースデータベース６から得る。共存マネージャＣＭ２０および共存情報サーバ５は、ＣＯＥＸ＿ＴＲ＿ＳＡＰを用い、下にあるレイヤにより提供されるトランスポートサービスを使う。これにより、インターフェースＢ４＿２を使用し、互いの間の通信を行う。ＴＶホワイトスペースデータベース６からの情報は、ＣＲＳ２が置かれている位置でのその動作に利用できるＴＶチャンネルに関する情報を含む。
【０１２８】
以上、実施形態を説明したが、有用性のある実施形態は上記説明のものに限られるわけではない。
【符号の説明】
【０１２９】
１…共存マネージャ、２…共存実現器、３…再構成可能な無線機、４…共存発見サーバ、５…共存情報サーバ、６…ＴＶホワイトスペースデータベース、Ａ，Ｂ１，Ｂ２，Ｂ３，Ｂ４，Ｃ…インターフェース、Ａａ…基地局管理機能部、ＣＥ１１，ＣＥ１２，ＣＥ２１…共存実現器、ＣＭ１０，ＣＭ２０…共存マネージャ、ＢＳ１１，ＢＳ１２，ＢＳ２１，ＢＳ３１…基地局、ＣＡ１，ＣＡ２，ＣＡ３…送受領域、ＣＲＳ１，ＣＲＳ２，ＣＲＳ３…コグニティブ無線システム、ＲＲ１１，ＲＲ１２，ＲＲ２１…再構成可能な無線機、Ｔ１１，Ｔ１２，Ｔ１３，Ｔ１４，Ｔ２１，Ｔ２２，Ｔ３１，Ｔ３２…端末。
【図１】
0005649168.tif 000002
【図２】
0005649168.tif 000003
【図３】
0005649168.tif 000004
【図４】
0005649168.tif 000005
【図５】
0005649168.tif 000006
【図６】
0005649168.tif 000007
【図７】
0005649168.tif 000008
【図８】
0005649168.tif 000009
【図９】
0005649168.tif 000010
【図１０】
0005649168.tif 000011
【図１１】
0005649168.tif 000012
【図１２】
0005649168.tif 000013